(57)【特許請求の範囲】
【請求項１】
ガス栓本体に形成した円形の栓体組込口の上部に沿って防水用のＯリングを取り付けたこと、
前記ガス栓本体の栓体組込口に被冠されるハンドルの下面に、前記Ｏリングに密着するシール縁を形成したこと、
前記ガス栓本体の栓体組込口の外周面の一部に略１８０°の拡がり角から成る１８０°回転規制溝を形成し、この１８０°回転規制溝の両端部分において水平方向にストッパーボール組込穴を形成すると共にこのストッパーボール組込穴内にスプリングを組み込み、更にこの外側に、組込穴内から出入り自在にストッパーボールを組み込んだこと、
前記ハンドルにおいて、前記１８０°回転規制溝に水平方向から対向する位置にロック部材組込穴を形成し、このロック部材組込穴には、前記ストッパーボールをその半径以上押し込むことによりハンドルの回転を許容し、ストッパーボールをその半径以上飛び出させることによりハンドルの回転を阻止して閉栓ロック及び封印ロックを行うことができるロック部材を組み込んだこと、
を特徴とする１８０°回転式防水ガス栓。
【請求項２】
請求項１に記載のロック部材は、ロック部材組込穴の内径面に形成した内径左雌ねじと、この内径左雌ねじに螺合する外径左雄ねじを外径面に形成し、内径面の先端側にボール押え部材スライド部を形成し、更にこのボール押え部材スライド部の奥に続けて段部を形成すると共に更にこの段部に続けて前記ボール押え部材スライド部より小径の内径部を形成し、更にこの内径部の奥に行き止りの内径右雌ねじを形成して成る外筒と、前記外筒内において前記内径右雌ねじに螺合する外径右雄ねじを外径面に形成し、更に先端側に前記ボール押え部材スライド部よりやや小径で、前記段部より大径の頭部を形成したボール押え部材を出入り自在に取り付けると共に後端面に回転工具係合部を形成して成るロックピンで構成されていることを特徴とする１８０°回転式防水ガス栓。
【請求項３】
請求項１に記載のロック部材は、ロック部材組込穴の内径面に形成した内径右雌ねじと、この内径右雌ねじに螺合する外径右雄ねじを外径面に形成し、内径面の中間部に内径右雌ねじを形成し、この内径右雌ねじの奥に続けてスライド部とこのスライド部に続けて段部を形成して成る外筒と、この外筒内において前記内径右雌ねじに螺合する外径右雄ねじを中間部に形成し、先端にロック部を形成し、後端面に回転工具係合部を形成して成るロックピンで構成されていることを特徴とする１８０°回転式防水ガス栓。
【請求項４】
ガス栓本体において、栓体組込口の側壁の外周面に１８０°回転規制溝を形成すると共にこの反対側には９０°回転規制溝を形成し、ハンドル側には、前記１８０°及び９０°回転規制溝に対向する部分にストッパーねじ組込穴を形成し、このストッパーねじ組込穴の何れか一方にストッパーねじを取り付けることにより、１８０°又は９０°開閉式に切り替えることができるように構成して成るガス栓。
【発明の詳細な説明】
【０００１】
【発明の属する技術分野】
本発明は、ハンドルを１８０°回転して開閉が可能で、防水機能を有するガス栓に関し、更に詳しくは、ガス栓本体とハンドル間及びハンドルのロック機構部分から水が侵入するのを防止することができると共にハンドルを閉位置で閉栓ロック又は封印ロックすることができる防水ガス栓及びハンドルを１８０°回転式から９０°回転式に切り替えて使用できるガス栓に関する。
【０００２】
【従来の技術】
ガス栓であって、ガスメータの入側配管に取り付けられる元栓と称されるガス栓は、屋外において用いられる例が多い。このため、雨が吹きつけたり、場合によっては洪水等により水没したりすることがあることから、防水対策を講じておくことが重要となる。
特に、元栓の場合は、ハンドルが妄りに回動されたり、長期間ガスの使用を中止するような場合のために、ハンドルのロック（封印）機構が設けられているケースが多く、このロック部材が設けられた元栓の場合には、このロック部材部分からの水の侵入が心配される。
【０００３】
例えば、実公平３−３１８９９号公報に掲載のガスコックにおいては、ロックピン２４がガスコック本体１においてハンドル取付口３に形成したロック溝３０を跨ぐようにして出入りする構成となっていることから、このロック溝３０部分を経由して水が内部に侵入しやすい。
同様の問題は、特開平１１−２７０７４０号、同１１−２７０７４１号公報あるいは実開昭６３−１４５０７９号、特開平１０−１９１６１号、特開２００２−５３３３号に掲載されているロック機構付のガス栓においても発生する。
【０００４】
また、ガス栓本体とハンドル間からの水の侵入防止対策として、実公昭４７−１６３９３号第９〜１１図には、Ｏリング１８を挿入したものがある。しかし、この公知例は、ロック機構付ではない。また、ロック機構付のガス栓において、防水構造を持ったものとして、特開平１０−７３１８０号公報には、ガス栓本体１のハンドル３の取付部の胴外周面とハンドル３間にＯリングを組み込んだ防水構造の図示がある。しかし、この場合でも、ロックピン４２部分からの水の侵入は防ぎ切れない。
また、従来のロック部材は、構造が複雑であることから、この組み立てに手間がかかり、外観的にも見栄えは悪い。また、従来の元栓は、ハンドル１８０°回転で開閉する方式が殆んどであるが、これを９０°で開閉できるように変更できると、元栓以外のガス栓としても用途が広がり、便利である。
【０００５】
【発明が解決しようとする課題】
本発明は、斯る点に鑑みて提案されるものであって、その第１の目的は、ロック機構付の防水ガス栓において、完全防水と外観の良さを図ることであり、第２の目的は、ハンドル１８０°回転式のガス栓において、ストッパーねじの差し替えだけで９０°回転式に変更できるガス栓を提供することである。
【０００６】
【課題を解決するための手段】
上記目的を達成するため、請求項１に記載の発明においては、ガス栓本体に形成した円形の栓体組込口の上部に沿って防水用のＯリングを取り付けたこと、
前記ガス栓本体の栓体組込口に被冠されるハンドルの下面に、前記Ｏリングに密着するシール縁を形成したこと、
前記ガス栓本体の栓体組込口の外周面の一部に略１８０°の拡がり角から成る１８０°回転規制溝を形成し、この１８０°回転規制溝の両端部分において水平方向にストッパーボール組込穴を形成すると共にこのストッパーボール組込穴内にスプリングを組み込み、更にこの外側に、組込穴内から出入り自在にストッパーボールを組み込んだこと、
前記ハンドルにおいて、前記１８０°回転規制溝に水平方向から対向する位置にロック部材組込穴を形成し、このロック部材組込穴には、前記ストッパーボールをその半径以上押し込むことによりハンドルの回転を許容し、ストッパーボールをその半径以上飛び出させることによりハンドルの回転を阻止して閉栓ロック及び封印ロックを行うことができるロック部材を組み込んだこと、
を特徴とするものである。
【０００７】
更に、請求項２に記載の発明においては、請求項１に記載のロック部材は、ロック部材組込穴の内径面に形成した内径左雌ねじと、この内径左雌ねじに螺合する外径左雄ねじを外径面に形成し、内径面の先端側にボール押え部材スライド部を形成し、更にこのボール押え部材スライド部の奥に続けて段部を形成すると共に更にこの段部に続けて前記ボール押え部材スライド部より小径の内径部を形成し、更にこの内径部の奥に行き止りの内径右雌ねじを形成して成る外筒と、前記外筒内において前記内径右雌ねじに螺合する外径右雄ねじを外径面に形成し、更に先端側に前記ボール押え部材スライド部よりやや小径で、前記段部より大径頭部を形成したボール押え部材を出入り自在に取り付けると共に後端面に回転工具係合部を形成して成るロックピンで構成されていることを特徴とするものである。
【０００８】
更に、請求項３に記載の発明においては、請求項１に記載のロック部材は、ロック部材組込穴の内径面に形成した内径右雌ねじと、この内径右雌ねじに螺合する外径右雄ねじを外径面に形成し、内径面の中間部に内径右雌ねじを形成し、この内径右雌ねじの奥に続けてスライド部とこのスライド部に続けて段部を形成して成る外筒と、この外筒内において前記内径右雌ねじに螺合する外径右雄ねじを中間部に形成し、先端にロック部を形成し、後端面に回転工具係合部を形成して成るロックピンで構成されていることを特徴とするものである。
【０００９】
更に、請求項４に記載の発明においては、ガス栓本体において、栓体組込口の側壁の外周面に１８０°回転規制溝を形成すると共にこの反対側には９０°回転規制溝を形成し、ハンドル側には、前記１８０°及び９０°回転規制溝に対向する部分にストッパーねじ組込穴を形成し、このストッパーねじ組込穴の何れか一方にストッパーねじを取り付けることにより、１８０°又は９０°開閉式に切り替えることができるように構成して成るものである。
【００１０】
【作用】
請求項１及び２に記載した発明の作用を先ず説明する。ハンドルのロック部材組込穴内に対してロック部材を組み込む場合には、ボール押え部材を先端に装着したロックピンの後端側を外筒の先端側から挿入し、ロックピンの後端を外筒の後端から露出させたのち、このロックピンの後端を摘んでロックピンを左回転させると、ロックピンの外径右雄ねじが外筒の内径右雌ねじに螺合してロックピンは外筒内で後退し、内径右雌ねじが切れたところで止る。
【００１１】
この状態の外筒をロック部材組込穴内に外から少し挿入し、外筒又はロックピンを摘んで左回転すると、外筒の外径左雄ねじがロック部材組込穴内の内径左雌ねじに螺合し、なおも左回転を続けると、外筒はロック部材組込穴内に進入して行く。そして所定の所まで進入したあとは、ロックピンの後端面に形成した回転工具係合部に回転工具を係合させて最後の締め付けを行う。このとき、ロックピン側と外筒側はねじが右廻しと左廻しの違いがあるため、締め付けが可能である。このとき、右廻しと左廻しのねじピッチは変えるようにしても良い。また、このロック部材組込穴内に対する外筒の組み込みに際しては、始めから回転工具を用いてねじ込むようにしても良い。
【００１２】
次に、ガス栓本体側の夫々のストッパーボール組込穴内にスプリングを組み込み、更にこのスプリングを押し込むようにしてストッパーボールを組み込んだのち、更にハンドルの係合鍔とガス栓本体側において回転ガイド溝に形成した切欠部を合致させ、ハンドルを栓体組込口に上方から被せるようにして押し込み、係合鍔をガス栓本体側の回転ガイド溝に合わせ、ここで所定角度（１８０°）ハンドルを回転させて係合鍔を回転ガイド溝の上縁の下に位置させる。この結果、ハンドルは外れなくなると共にハンドルは全開の位置となる。この時の外筒の先端は、ハンドルの内面とほぼ同一面に仮留めし、ハンドルを取り付けて全開位置にした後、ロック部材を正位置に締め付け固定する。この結果、ハンドルは左又は右方向（閉方向）に自由に回動することができると共に１８０°の回転制限ができる状態となっている。
【００１３】
この開状態で、前記ロックピンを回転工具で右回転すると、内径雌右ねじと外径雄右ねじの作用でロックピンが前進して螺合が外れ、ロックピンはフリーとなる。そして、ハンドルをそのまま右又は左方向に９０°回転すると、ロック部材の外筒の先端が９０°回転したところでストッパーボールの中心よりも外側に当り、ストッパーボールを押し込む。この結果、ストッパーボールが外筒の先端内に位置し、同時に外筒が１８０°回転規制溝の終端においてストッパー壁に当り、止る。この状態において、ストッパーボールはスプリングの作用でボール組込穴内から半径以上外筒の先端内に飛び出し、ボール押え部材の頭部に当って止められており、ハンドルはそのままでは左右何れの方向にも回動することができなくなる。これが閉栓ロックの位置である。この時、ボール押え部材の頭部と外筒側の段部との間には、僅かに隙間があり、ロックピンの後端は外筒の外に突出している。
【００１４】
次に、ハンドルを開方向に回転する場合には、フリー状態のロックピンの後端面を指で押し込むと、ボール押え部材がストッパーボールをボール組込穴内にその半径以上押し込む。このボールの押し込みを保持したまま、ハンドルを右又は左方向に回転すると、ボール押え部材の頭部の摺り込みの作用でストッパーボールは殆んどボール組込穴内に押し込まれて逃げることから、ハンドルは全開の位置まで自由に９０°回動することができる。
【００１５】
次に、ハンドルを封印ロックする場合には、閉栓の位置において、ロックピンを左方向に回転すると、このロックピンの外径雄右ねじが外筒側の内径雌右ねじに螺合し、ねじの作用でロックピンは後退し、一緒にボール押え部材も外筒内のスライド部においてロックピンと一緒に後退し、やがて、ボール押え部材は段部に当って後退が阻止され、続いてロックピンも内径雌右ねじの終りの作用で後退が止る。この時、ストッパーボールはその半径以上が外筒の先端内に入り込んでいて、閉栓ロック時と同じようにハンドルはロックされる。但し、閉栓ロック時と違うのは、ロックピンの外径雄右ねじが外筒側の内径雌右ねじに螺合したままであり、ロックピンはフリーではないことである。このため、ロックピンは、そのまま押し込むことはできず、封印ロックの状態となる。この封印ロックを解除する場合には、ロックピンを回転工具を用いて右回転し、外径雄右ねじと内径雌右ねじの螺合を解き、ロックピンをフリー（押し込み自由）とすることが必要となる。
【００１６】
次に、請求項３に記載した発明の作用について説明する。この請求項３の発明において、ハンドルの取り付けとロック部材の組み込みまでは上記した請求項１、２の作用と同じである。但し、外筒をロック部材組込穴内に締め込むときは、外筒の後端面に形成した締め込み溝を用いて行う。この請求項３の発明においては、ボール押え部材に相当する部品が無く、閉栓ロック、封印ロックはすべてロックピンが司る。先ず、閉栓ロックにおいては、ロックピンを左回転して後退させ、外径雄右ねじを内径雌右ねじから外し、外径雄右ねじを外筒内のスライド部内に位置させる。これにより、ロックピンはフリーとなる。このようにしてロックピンがフリーになると、ロックピンはストッパーボール（スプリング）に押されて後退する。この結果、ストッパーボールはその半径以上がボール組込穴から飛び出し、外筒の先端内に入り込む。このボールの作用でロック状態となり、ハンドルの回転は阻止される。この状態は閉栓ロックである。
【００１７】
そして、閉栓ロックを解除する場合には、ロックピンの後端面を指先で押し込むと、ストッパーボールがボール組込穴内に半径上が押しこまれるため、ハンドルは全開方向に９０°自由に回動することができる。
次に、封印ロックを行う場合には、ハンドル全閉の位置でロックピンを右方向に回転工具を用いて回転すると、外径右雄ねじが内径右雌ねじに螺合し、なおも回転すると、ロックピンが前進し、ストッパーボールを押し込みながらロックピンの先端がボール組込穴の入口内に入り込む。この結果、ハンドルは封印される。そして、この封印を解除する場合には、ロックピンを左回転させてロックピンを後退させ、外径雄右ねじをスライド部内に位置させる。
【００１８】
次に、請求項４に記載の発明について、その作用を説明する。ガス栓を１８０°開閉式で使用する場合には、ハンドル側から１８０°回転規制溝内に１本のストッパーねじをねじ込み、この先端を１８０°回転規制溝内に位置させることにより、１８０°開閉式となる。
一方、９０°開閉式とする場合には、１８０°側からストッパーねじを抜き、ハンドル側から９０°回転規制溝内に１本のストッパーピンをねじ込み、この先端を９０°回転溝内に位置させる。この結果、このストッパーねじの作用でハンドルは９０°開閉となる。
【００１９】
【発明の実施の形態】
【実施例１】
本実施例１は、請求項１及び２に係る発明に対応しており、図１〜図６に基づいてその構成と作用を詳細に説明する。
ガス栓は、ガス栓本体１と、このガス栓本体１内のガス流路２内に直角方向から栓体３を組み込むための栓体組込口４と、前記栓体３を開閉するためのハンドル２０とハンドル２０を閉栓ロック及び封印ロックするためのロック機構３０とを主要なる構成要素としている。
【００２０】
ガス栓本体１の栓体組込口４の上縁には、防水Ｏリング組込溝５が形成されていて、このＯリング組込溝５には、Ｏリング６が装着されている。そして、前記ハンドル２０の下面には、このＯリング６に密着するようにシール縁２１が形成されていて、Ｏリング６とシール縁２１は、組立後は常に密着している。
栓体組込口４内には栓体３が組み込まれていて、この栓体３の上面には、２本の係合部３ａ、３ｂが突設してあり、この係合部３ａ、３ｂはハンドル２０の下面に形成した係合穴２２ｂ、２２ｃに係合鍔板２４の穴Ｘ、Ｙを経由して遊嵌している。係合鍔板２４は、図４に示すように、周囲に係合鍔２５を突設し、前記２つの穴Ｘ、Ｙを形成し、中心に嵌合孔２４ａを形成し、この両サイドにビス孔２４ｂ、２４ｃを形成した形状から成り、ハンドル２０のビス孔２０ｂ、２０ｃ（図３参照）に対してはビス２３で固定され、係合鍔２５は、図１、２に示すようにガス栓本体１の栓体組込口４の内周面に形成した回転ガイド溝７内に位置してこの上縁８に係合することにより、ハンドル２０をガス栓本体１に組み付けると共に栓体３をシール面に押し付けているスプリング１１の反力を受け止める構成となっている。
【００２１】
１０は図５に示すように、前記ガス栓本体１の栓体組込口４の側壁の外周面において、前記Ｏリング６よりも外側に形成された略１８０°の拡がり角を有する１８０°回転規制溝であって、この１８０°回転規制溝１０の両端１８０°の部分には、栓体組込口４の中心方向に向けてボール組込穴１１が形成されていて、このボール組込穴１１内にスプリング１２が装入され、更にこのスプリング１２の外にストッパーボール１３が組み込まれている。
【００２２】
３１はハンドル２０の下面であって、把手２０ａの下面の肉厚部に形成されたロック部材組込穴であって、このロック部材組込穴３１の内面には内径雌左ねじ３２が形成されている。３３は前記内径雌左ねじ３２に螺合する外径雄左ねじ３４を外周面に形成し、内径部３５は先端の入口側に大径スライド部３６とこの奥に段部３７を形成し、更にこの段部３７に続けて奥方向に小径スライド部３８を形成し、更にこの小径スライド部３８に続けて奥方向に行き止りの内径雌右ねじ３９を形成した外筒である。
【００２３】
なお、外筒３３の先端には角度３３ａが付けてあり、この角度３３ａは、ストッパーボール１３の押し込みをスムーズに行うために設けられている。
４０はロックピンであって、このロックピン４０は、先端に有底の軸穴４１を形成し、この軸穴４１には、軸部４３を挿入することによりロックピン４０の先端に出入り自在に取り付けられた前記大径スライド部３６よりやや小径の頭部４２ａを持つボール押え部材４２が出入り自在に取り付けられていると共に中間外周面には、前記内径雌右ねじ３９に螺合自在の外径雄右ねじ４４を形成し、後端面に回転工具係合用に二つ目状の係合部４５を形成した構成となっている。
本実施例１のガス栓の組み立て例とその作用は次のとおりである。
【００２４】
ハンドル２０のロック部材組込穴３１内に対してロック部材を組み込む場合には、ボール押え部材４２を先端に装着したロックピン４０の後端側を外筒３３の先端側から挿入し、ロックピン４０の後端を外筒３３の後端から露出させたのち、このロックピン４０の後端を摘んでロックピン４０を左回転させると、ロックピン４０の外径右雄ねじ４４が外筒３３の内径右雌ねじ３９に螺合してロックピン４０は外筒３３内で後退し、内径右雌ねじ３９が切れたところで止る。
【００２５】
この状態の外筒３３をロック部材組込穴３２内に外から少し挿入し、外筒３３又はロックピン４０を摘んで左回転すると、外筒３３の外径左雄ねじ３４がロック部材組込穴３１内の内径左雌ねじ３２に螺合し、なおも左回転を続けると、外筒３３はロック部材組込穴３１内に進入して行く。そして所定の所まで進入したあとは、ロックピン４０の後端面に形成した回転工具係合部４５に回転工具を係合させて最後の締め付けを行う。このとき、ロックピン４０側と外筒３３側はねじが右廻しと左廻しの違いがあるため、外筒３３側に締め付け溝等が無くても締め付けが可能である。このとき、右廻しと左廻しのねじピッチは変えるようにしても良い。勿論、このロック部材組込穴３１内に対する外筒３３の組み込みに際しては、始めから回転工具を用いてねじ込むようにしても良い。
【００２６】
次に、ガス栓本体１側の夫々のストッパーボール組込穴１１内にスプリング１２を組み込み、更にこのスプリング１２を押し込むようにしてストッパーボール１３を組み込んだのち、更にハンドル２０の下面にビス２３により固定した係合鍔板２４の係合鍔２５をガス栓本体１側において回転ガイド溝７に形成した切欠部８ａ（図５参照）と合致させ、ハンドル２０を栓体組込口４に上方から被せるようにして押し込み、係合鍔２５をガス栓本体１側の回転ガイド溝７に合わせ、ここでハンドル２０を所定角度（１８０°）回転させて係合鍔２５を回転ガイド溝７の上縁８の下に位置させる。この結果、ハンドル２０は外れなくなると共にハンドル２０は全開の位置となる。この時の外筒３３の先端３３ｂはハンドル２０の内面とほぼ同一面に仮留めし、ハンドル２０を取り付けて全開位置にした後、ロック部材を正位置に締め付け固定する。この結果、ハンドル２０は左又は右方向（閉方向）に自由に回動することができると共に１８０°の回転規制ができる状態となっている。
【００２７】
この状態で、前記ロックピン４０を回転工具で右回転すると、内径雌右ねじ３９と外径雄右ねじ４４の作用でロックピン４０が前進して螺合が外れ、ロックピン４０はフリーとなる。そして、ハンドル２０をそのまま右又は左方向に９０°回転すると、ロック部材の外筒３３の先端が９０°回転したところでストッパーボール１３の中心よりも外側に当り、ストッパーボール１３を押し込む。この結果、ストッパーボール１３が外筒３３の先端内に位置し、同時に外筒３３が１８０°回転規制溝１０の終端においてストッパー壁に当り、止る。この状態において、ストッパーボール１３はスプリング１２の作用でボール組込穴１１内から半径以上外筒３３の先端内に飛び出し、ボール押え部材４２の頭部４２ａに当って止められており、ハンドル２０はそのままでは左右何れの方向にも回動することができなくなる。これが閉栓ロック（図６（Ａ））の位置である。この時、ボール押え部材４２の頭部４２ａと外筒３３側の段部３７との間には、僅かに隙間Ｗがある。
【００２８】
次に、ハンドル２０を開方向に回転する場合には、フリー状態のロックピン４０の後端面を指で押し込むと、ボール押え部材４２がストッパーボール１３をボール組込穴１１内にその半径以上押し込む（図６（Ｂ））。このボールの押し込みを保持したまま、ハンドル２０を右又は左方向に回転すると、ボール押え部材４２の頭部４２ａの摺り込みの作用でストッパーボール１３は殆んどボール組込穴１１内に押し込まれて逃げることから、ハンドル２０は全開の位置まで自由に９０°回動することができる。
【００２９】
次に、ハンドル２０を封印ロックする場合には、閉栓の位置において、ロックピン４０を左方向に回転すると、このロックピン４０の外径雄右ねじ４４が外筒３３側の内径雌右ねじ３９に螺合し、ねじの作用でロックピン４０は後退し、一緒にボール押え部材４２も外筒３３内のスライド部３６においてロックピン４０と一緒に後退し、やがて、ボール押え部材４２は段部３７に当って後退が阻止され、続いてロックピン４０も内径雌右ねじ３９の終りの作用で後退が止る。この時、ストッパーボール１３はその半径以上が外筒３３の先端内に入り込んでいて、閉栓ロック時と同じようにハンドル２０はロックされる。但し、閉栓ロック時と違うのは、ロックピン４０の外径雄右ねじ４４が外筒３３側の内径雌右ねじ３９に螺合したままであり、ロックピン４０はフリーではないことである。このため、ロックピン４０は、そのまま押し込むことはできず、封印ロックの状態となる（図６（Ｃ））。この封印ロックを解除する場合には、ロックピン４０を回転工具を用いて右回転し、外径雄右ねじ４４と内径雌右ねじ３９の螺合を解き、ロックピン４０をフリー（押し込み自由）とすることが必要となる。
【００３０】
【実施例２】
本実施例２は、請求項３に記載した発明に対応しており、図７〜図９に基づいてその構成と作用を詳細に説明する。但し、本実施例２において、実施例１において説明した符号と同一の符号は同一構成を有しており、重複を避けるためにその説明を省略し、構成の違う外筒３３、ロックピン４０について説明する。外筒３３には外径雄右ねじ３４が形成され、内径部３５の中間には内径雌右ねじ５０が形成され、この内径雌右ねじ５０に続けて、奥方向にスライド内径部５１が形成され、このスライド内径部５１の奥には段部５２が形成されている。そして、ロックピン４０は、先端にボール組込穴１１に嵌合自在のロック部５３を形成し、中間部に前記内径雌右ねじ５０に螺合する外径右雄ねじ５４を形成し、後端面に回転工具係合用の二つ目状の係合部４５を形成した構成となっている。なお、本実施例２において、外筒３３の外径部に外径右雄ねじ３４を形成したことにより、ロック部材組込穴３１側の内径ねじも右ねじとなっている。そして、外筒３３の後端面には締め込み溝３３ａが形成してあり、外筒３３はこの締め込み溝３３ａを用いてロック部材組込穴３１内に締め込まれる。
本実施例２の組み立てとその作用を次に説明する。
【００３１】
ハンドル２０の取り付けは上記した実施例１と同じ方法で行う。但し、外筒３３をロック部材組込穴３１内に締め込むときは締め込み溝３３ａを用いて行う。この実施例２においては、ボール押え部材４２に相当する部品が無く、閉栓ロック、封印ロックはすべてロックピン４０が司る。先ず、閉栓ロックにおいては、ロックピン４０を左回転して後退させ、外径雄右ねじ５４を内径雌右ねじ５０から外し、外径雄右ねじ５４を外筒３３内のスライド部５１内に位置させる。これにより、ロックピン４０はフリーとなる。このようにしてロックピン４０がフリーになると、ロックピン４０はストッパーボール１３（スプリング１２）に押されて後退する。この結果、ストッパーボール１３はその半径以上がボール組込穴１１から飛び出し、外筒３３の先端内に入り込む（図９（Ａ））。このボールの作用でロック状態となり、ハンドルの回転は阻止される。この状態は閉栓ロックである。
【００３２】
そして、閉栓ロックを解除する場合には、ロックピン４０の後端面を指先で押し込むと、ストッパーボール１３がボール組込穴１１内に半径以上が押しこまれるため、ハンドル２０は全開方向に９０°自由に回動することができる（図９（Ｂ））。
次に、封印ロックを行う場合には、ハンドル２０を全閉の位置でロックピン４０を右方向に回転工具を用いて回転すると、外径右雄ねじ５４が内径右雌ねじ５０に螺合し、なおも回転すると、ロックピン４０が前進し、ストッパーボール１３を押し込みながらロックピン４０の先端５３がボール組込穴１１の入口内に入り込む。この結果、ハンドル２０は封印される（図９（Ｃ））。そして、この封印を解除する場合には、ロックピン４０を左回転させてロックピン４０を後退させ、外径雄右ねじ５４をスライド部５１内に位置させ、先端５３をボール組込穴１１内から逃がす。
【００３３】
【実施例３】
本実施例３は、請求項４に記載した発明に対応しており、その構成と作用を図１０〜図１２に基づいて詳細に説明する。
本実施例３のガス栓本体６０の栓体組込口６１の側壁６２には上縁６３から切り込む形で略１８０°回転規制溝６４が形成されていると共にこの１８０°回転規制溝６４の反対側には９０°回転規制溝６５が形成されている。そして、ハンドル７０側には、前記１８０°回転規制溝６４に水平方向から対向するようにストッパーねじ７２の横ねじ穴７１が形成されていると共に前記９０°回転規制溝６５に鉛直方向から対向する位置にはストッパーねじ７４、組込用の縦ねじ穴７３が形成されている。
【００３４】
本実施例３のガス栓にあっては、１８０°回転用にする場合には、横ねじ穴７１にストッパーねじ７２をねじ込むことによりハンドル７０を１８０°回転式となし、９０°回転用にする場合には、ストッパーねじ７２を取り外し、縦ねじ穴７３にストッパーねじ７４をねじ込むことにより９０°回転式として使用する。但し、このようにして１８０°と９０°開閉式とした場合、ハンドル７０のみは１８０°用と９０°用に交換してもよい。これは、一般に１８０°回転用ハンドルは、レバー付きハンドルで、９０°回転用はレバーのない通称つまみハンドルが使用されているためである。
なお、本実施例３のガス栓は、Ｏリング７５が装入されていて、防水構造となっているが、本発明は、防水ガス栓以外のガス栓にも適用が可能であり技術的範囲内である。
【００３５】
【発明の効果】
本発明は以上の如き構成と作用により、次の効果を奏する。
請求項１〜３に記載の発明においては、ガス栓本体とハンドル間にＯリングを挿入してシールをとり、ロック機構は、前記Ｏリングの外側において、ガス栓本体の栓体組込口内に到達しない構成としたことにより、特に従来において問題となっていたロック機構部分からの水の侵入を防止できる。
また、請求項２に記載の発明においては、外筒は左（又は右）ねじでロック部材組込穴内にねじ込み、ロックピンは右（又は左）ねじで外筒内に組み込むようにしたので、あらかじめロックピンを外筒内に組み込んでからハンドル側のロック部材組込穴内に組み込むようにすると、外筒側に特に回転工具の係合部を形成しなくても良い。この結果、外観上見栄えが良く、係合部加工の手間もかからない。請求項３に記載の発明によると、ロック部材の部品点数が少くて済み、低コスト化が可能である。
請求項４に記載の発明によると、１８０°用と９０°用のガス栓として、ストッパーねじを着け替えるだけで対応ができるので、１８０°開閉式のガス栓を９０°用に、あるいはこの反対に変更して使用することができて便利である。
【図面の簡単な説明】
【図１】実施例１に係るガス栓の縦断側面図。
【図２】実施例１に係るガス栓の一部縦断正面図。
【図３】実施例１に係るガス栓のハンドルの下面図。
【図４】回転ガイド鍔板の説明図。
【図５】Ａ−Ａ´線断面図。
【図６】（Ａ）は閉栓ロック状態、（Ｂ）はロック解除状態、（Ｃ）は封印ロック状態、（Ｄ）は開→閉時のボールとロック軸との関係を示す説明図。
【図７】実施例２に係るガス栓の縦断側面図。
【図８】実施例２に係るガス栓の一部縦断正面図。
【図９】（Ａ）は閉栓ロック状態、（Ｂ）はロック解除、（Ｃ）は封印ロック状態の説明  図。
【図１０】１８０°及び９０°開閉式ガス栓のガス栓本体部分の平面図。
【図１１】１８０°及び９０°開閉式ガス栓を上から見た状態の説明図。
【図１２】ストッパーねじ穴とストッパーねじの説明図。
【符号の説明】
１  ガス栓本体
４  栓体組込口
６  Ｏリング
７  回転ガイド溝
１０  １８０°回転規制溝
１１  ストッパーボール組込穴
１２  コイルスプリング
１３  ストッパーボール
２０  ハンドル
２１  シール縁
３０  ロック機構
３１  ロック部材組込穴
３３  外筒
４０  ロックピン
６４  １８０°回転規制溝
６５  ９０°回転規制溝
７２、７５  ストッパーねじ
【図１】
0003623214.tif 000002
【図２】
0003623214.tif 000003
【図３】
0003623214.tif 000004
【図４】
0003623214.tif 000005
【図５】
0003623214.tif 000006
【図６】
0003623214.tif 000007
【図７】
0003623214.tif 000008
【図８】
0003623214.tif 000009
【図９】
0003623214.tif 000010
【図１０】
0003623214.tif 000011
【図１１】
0003623214.tif 000012
【図１２】
0003623214.tif 000013